(57)【要約】【解決手段】サービスの質情報はデータパケットに関する詳細を手強し、ディレイ情報を含む。データパケットヘッダは、サービスの質情報を保持可能な一部分を特定するために解析され得る。サービスの質情報は圧縮され、特定された一部分に格納され得る。ヘッダは基地局に送信されることが出来、サービスの質情報は復元され、読み出され、そしてサービスの質情報に応じて動作の変更が生じる。【選択図】図６
2010521930.tif 000002
【特許請求の範囲】
【請求項１】
サービスの質情報の通信を容易にする方法であって、
サービスの質情報を保持するデータパケットヘッダの一部分を特定することと、
前記特定された一部分に前記サービスの質情報を格納することと
を備える方法。
【請求項２】
前記データパケットヘッダは、メディアアクセス制御ヘッダである、請求項１の方法。
【請求項３】
前記データパケットヘッダは、無線リンク制御ヘッダである、請求項１の方法。
【請求項４】
前記特定された一部分に格納するための前記サービスの質情報を決定すること、を更に備える請求項１の方法。
【請求項５】
前記サービスの質情報は、後に引き続くデータパケットに関する、請求項１の方法。
【請求項６】
前記格納されたサービスの質情報を有する前記データパケットヘッダを送信すること、を更に備える請求項１の方法。
【請求項７】
前記サービスの質情報を保持する前記データパケットヘッダの前記一部分のサイズを判断すること、を更に備える請求項１の方法。
【請求項８】
前記サービスの質情報を、前記特定された一部分内にフィット可能なサイズに圧縮すること、を更に備える請求項７の方法。
【請求項９】
前記特定された一部分の前記サイズ及びサービスの質の詳細の重要性に応じて、前記特定された一部分に格納するためのサービスの質情報を選択すること、を更に備える請求項７の方法。
【請求項１０】
前記サービスの質情報は、キューサイズを含む、請求項１の方法。
【請求項１１】
前記サービスの質情報は、ディレイ情報を含む、請求項１の方法。
【請求項１２】
前記サービスの質情報は、最小データレートを含む、請求項１の方法。
【請求項１３】
前記サービスの質情報は、トークンバケットサイズを含む、請求項１の方法。
【請求項１４】
サービスの質情報を保持するデータパケットヘッダの一部分を特定するように構成された認識部と、
前記特定された一部分に前記サービスの質情報を格納するように構成された配置部と
を備える無線通信装置。
【請求項１５】
前記データパケットヘッダは、メディアアクセス制御ヘッダまたは無線リンク制御ヘッダである、請求項１４の装置。
【請求項１６】
前記特定された一部分に格納するための前記サービスの質情報を決定する評価部、を更に備える請求項１４の装置。
【請求項１７】
前記サービスの質情報は、後に引き続くデータパケットに関する、請求項１４の装置。
【請求項１８】
前記格納されたサービスの質情報を有する前記データパケットヘッダを送信するデータ送信部、を更に備える請求項１４の装置。
【請求項１９】
前記サービスの質情報を保持する前記データパケットヘッダの前記一部分のサイズを判断する解析部、を更に備える請求項１４の装置。
【請求項２０】
前記サービスの質情報を、前記特定された一部分内にフィット可能なサイズに圧縮する圧縮部、を更に備える請求項１９の装置。
【請求項２１】
前記特定された一部分の前記サイズ及びサービスの質の詳細の重要性に応じて、前記特定された一部分に格納するためのサービスの質情報を選択する決定部、を更に備える請求項１９の装置。
【請求項２２】
前記サービスの質情報は、ディレイ情報、キューサイズ、最小データレート、トークンバケットサイズ、またはこれらの組み合わせを含む、請求項１４の装置。
【請求項２３】
サービスの質情報を保持するデータパケットヘッダの一部分を特定する手段と、
前記特定された一部分に前記サービスの質情報を格納する手段と
を備える無線通信装置。
【請求項２４】
前記データパケットヘッダは、メディアアクセス制御ヘッダまたは無線リンク制御ヘッダである、請求項２３の装置。
【請求項２５】
前記特定された一部分に格納するための前記サービスの質情報を決定する手段、を更に備える請求項２３の装置。
【請求項２６】
前記サービスの質情報は、後に引き続くデータパケットに関する、請求項２３の装置。
【請求項２７】
前記格納されたサービスの質情報を有する前記データパケットヘッダを送信する手段、を更に備える請求項２３の装置。
【請求項２８】
前記サービスの質情報を保持する前記データパケットヘッダの前記一部分のサイズを判断する手段、を更に備える請求項２３の装置。
【請求項２９】
前記サービスの質情報を、前記特定された一部分内にフィット可能なサイズに圧縮する手段、を更に備える請求項２８の装置。
【請求項３０】
前記特定された一部分の前記サイズ及びサービスの質の詳細の重要性に応じて、前記特定された一部分に格納するためのサービスの質情報を選択する手段、を更に備える請求項２８の装置。
【請求項３１】
前記サービスの質情報は、ディレイ情報、キューサイズ、最小データレート、トークンバケットサイズ、またはこれらの組み合わせを含む、請求項２３の装置。
【請求項３２】
サービスの質情報を保持するデータパケットヘッダの一部分を特定し、
前記特定された一部分に前記サービスの質情報を格納する
ための機器実行可能な命令、をそこに保持する機器読み取り可能な媒体。
【請求項３３】
前記データパケットヘッダは、メディアアクセス制御ヘッダまたは無線リンク制御ヘッダである、請求項３２の機器読み取り可能な媒体。
【請求項３４】
前記特定された一部分に格納するための前記サービスの質情報を決定するための命令、を更に備える請求項３２の機器読み取り可能な媒体。
【請求項３５】
前記サービスの質情報は、後に引き続くデータパケットに関する、請求項３２の機器読み取り可能な媒体。
【請求項３６】
前記格納されたサービスの質情報を有する前記データパケットヘッダを送信するための命令、を更に備える請求項３２の機器読み取り可能な媒体。
【請求項３７】
前記サービスの質情報を保持する前記データパケットヘッダの前記一部分のサイズを判断するための命令、を更に備える請求項３２の機器読み取り可能な媒体。
【請求項３８】
前記サービスの質情報を、前記特定された一部分内にフィット可能なサイズに圧縮するための命令、を更に備える請求項３７の機器読み取り可能な媒体。
【請求項３９】
前記特定された一部分の前記サイズ及びサービスの質の詳細の重要性に応じて、前記特定された一部分に格納するためのサービスの質情報を選択するための命令、を更に備える請求項３７の機器読み取り可能な媒体。
【請求項４０】
前記サービスの質情報は、ディレイ情報、キューサイズ、最小データレート、トークンバケットサイズ、またはこれらの組み合わせを含む、請求項３２の機器読み取り可能な媒体。
【請求項４１】
無線通信システムにおいて、装置が、
サービスの質情報を保持するデータパケットヘッダの一部分を特定し、
前記特定された一部分に前記サービスの質情報を格納する
ように構成されたプロセッサを備えるシステム。
【請求項４２】
前記データパケットヘッダは、メディアアクセス制御ヘッダである、請求項４１のシステム。
【請求項４３】
前記サービスの質情報は、ディレイ情報、キューサイズ、最小データレート、トークンバケットサイズ、またはこれらの組み合わせを含む、請求項４１のシステム。
【請求項４４】
サービスの質情報の受信を容易にする方法であって、
サービスの質情報を有するデータパケットヘッダを得ることと、
前記受信されたデータパケットの前記サービスの質情報を読み出すことと
を備える方法。
【請求項４５】
前記データパケットヘッダは、メディアアクセス制御ヘッダまたは無線リンク制御ヘッダである、請求項４４の方法。
【請求項４６】
前記読み出されたサービスの質情報に応じて、機器の動作を変更すること、を更に備える請求項４４の方法。
【請求項４７】
前記サービスの質情報は、ディレイ情報、キューサイズ、最小データレート、またはこれらの組み合わせを含む、請求項４６の方法。
【請求項４８】
前記読み出されたサービスの質情報を復元すること、を更に備え、前記得られたデータパケットヘッダは、圧縮されたサービスの質情報を含む、請求項４４の方法。
【請求項４９】
サービスの質情報を有するデータパケットヘッダを得る受信部と、
前記受信されたデータパケットの前記サービスの質情報を読み出す解釈部と
を備える無線通信装置。
【請求項５０】
前記データパケットヘッダは、メディアアクセス制御ヘッダまたは無線リンク制御ヘッダである、請求項４９の装置。
【請求項５１】
前記読み出されたサービスの質情報に応じて、機器の動作を変更する修正部、を更に備える請求項４９の装置。
【請求項５２】
前記サービスの質情報は、ディレイ情報、キューサイズ、最小データレート、またはこれらの組み合わせを含む、請求項４９の装置。
【請求項５３】
前記読み出されたサービスの質情報を復元する復元部、を更に備え、前記得られたデータパケットヘッダは、圧縮されたサービスの質情報を含む、請求項４９の装置。
【請求項５４】
サービスの質情報を有するデータパケットヘッダを得る手段と、
前記受信されたデータパケットの前記サービスの質情報を読み出す手段と
を備える無線通信装置。
【請求項５５】
前記データパケットヘッダは、メディアアクセス制御ヘッダまたは無線リンク制御ヘッダである、請求項５４の装置。
【請求項５６】
前記読み出されたサービスの質情報に応じて、機器の動作を変更する手段、を更に備える請求項５４の装置。
【請求項５７】
前記サービスの質情報は、ディレイ情報、キューサイズ、最小データレート、またはこれらの組み合わせを含む、請求項５６の装置。
【請求項５８】
前記読み出されたサービスの質情報を復元する手段、を更に備え、前記得られたデータパケットヘッダは、圧縮されたサービスの質情報を含む、請求項５４の装置。
【請求項５９】
サービスの質情報を有するデータパケットヘッダを得、
前記受信されたデータパケットの前記サービスの質情報を読み出す
ための機器実行可能な命令、をそこに保持する機器読み取り可能な媒体。
【請求項６０】
前記データパケットヘッダは、メディアアクセス制御ヘッダまたは無線リンク制御ヘッダである、請求項５９の機器読み取り可能な媒体。
【請求項６１】
前記読み出されたサービスの質情報に応じて、機器の動作を変更するための命令、を更に備える請求項５９の機器読み取り可能な媒体。
【請求項６２】
前記サービスの質情報は、ディレイ情報、キューサイズ、最小データレート、またはこれらの組み合わせを含む、請求項６１の機器読み取り可能な媒体。
【請求項６３】
前記読み出されたサービスの質情報を復元するための命令、を更に備え、前記得られたデータパケットヘッダは、圧縮されたサービスの質情報を含む、請求項５９の機器読み取り可能な媒体。
【請求項６４】
無線通信システムにおいて、装置が、
サービスの質情報を有するデータパケットヘッダを得、
前記受信されたデータパケットの前記サービスの質情報を読み出す
ように構成されたプロセッサを備えるシステム。
【請求項６５】
前記データパケットヘッダは、メディアアクセス制御ヘッダまたは無線リンク制御ヘッダである、請求項６４のシステム。
【請求項６６】
前記サービスの質情報は、ディレイ情報、キューサイズ、最小データレート、またはこれらの組み合わせを含む、請求項６４のシステム。
【発明の詳細な説明】
【優先権の主張】
【０００１】
この出願は、２００７年３月１７日に出願され、”REVERSE-LINK QOS INFORMATION IN A MAC HEADER”と表題され、その譲受人に譲渡され、参照によって本明細書にその全内容が組み込まれる米国仮出願番号６０／８９５，４５０に対する優先権を主張する。
【０００２】
この出願は、２００７年３月１９日に出願され、”REVERSE-LINK QOS INFORMATION IN A MAC HEADER”と表題され、その譲受人に譲渡され、参照によって本明細書にその全内容が組み込まれる米国仮出願番号６０／８９５，７１１に対する優先権を主張する。
【技術分野】
【０００３】
以下の記述は、概して無線通信に関し、より具体的にはメディアアクセス制御ヘッダ内へのサービスの質情報を挿入することに関する。
【背景技術】
【０００４】
無線通信システムは、種々のタイプの通信内容（例えば音声データ等）を提供するために、広く展開されている。典型的な無線通信システムは、利用可能なシステムリソース（例えばバンド幅や送信電力など）を共有することによって複数のユーザとの通信をサポートすることが可能な多重アクセスシステムであり得る。そのような多重アクセスシステムの例は、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム等を含み得る。
【０００５】
一般的に無線多重アクセス通信システムは、複数のモバイル機器の通信を同時にサポート出来る。各モバイル機器は、フォワード及びリバースリンク上の通信を介して、１つまたはそれ以上の基地局と通信し得る。フォワードリンク（またはダウンリンク）は、基地局からモバイル機器への通信リンクを指し、リバースリンク（またはアップリンク）は、モバイル機器から基地局への通信リンクを指す。更に、モバイル機器と基地局との間の通信は、単一入力単一出力（ＳＩＳＯ）システム、複数入力単一出力（ＭＩＳＯ）システム、及び複数入力複数出力（ＭＩＭＯ）システム等によって確立され得る。
【０００６】
ＭＩＭＯシステムは、データの通信のために複数（ＮＴ）の送信アンテナと複数（ＮＲ）の受信アンテナを使用し得る。ＮＴ個の送信アンテナとＮＲ個の受信アンテナによって形成されるＭＩＭＯチャネルは、ＮＳ個の独立したチャネルに分離され、これらはまた空間チャネル（spatial channel）と呼ばれ得る。但し、ＮＳ≦｛ＮＴ、ＮＲ｝である。ＮＳ個の独立したチャネルの各々はディメンジョン（dimension）に対応し得る。更にＭＩＭＯシステムは、複数の送信及び受信アンテナによって生成された更なる次元（dimensionalities）が利用されることで、より良いパフォーマンス（例えば、向上されたスペクトル効率、より高いスループット、及び／または高い信頼性）を提供出来る。
【０００７】
ＭＩＭＯシステムは、共通の物理媒体上でフォワード及びリバースリンクを分割するための種々の双方向通信技術をサポート出来る。例えば周波数複信方式（ＦＤＤ）システムは、フォワード及びリバースリンク通信について異なる周波数領域を使用できる。更に時分割複信方式（ＴＤＤ）システムでは、フォワード及びリバースリンク通信は、共通の周波数領域を使用できる。
【発明の概要】
【０００８】
下記は、１つまたはそれ以上の実施形態の単純化されたサマリを与え、そのような実施形態の基本的な理解を与えるためのものである。このサマリは、全ての熟慮された実施形態の外延的な総覧では無く、全ての実施形態の主要なまたは決定的に重要な要素を特定することも、また幾つかまたは全ての実施形態の範囲を画することも意図していない。その唯一の目的は、後に与えられるより詳細な説明の前置きとして、単純化された形態による１つまたはそれ以上の実施形態のいくつかの概念与えることである。
【０００９】
一側面によれば、本明細書において、サービスの質情報の通信を容易にする方法が述べられる。本方法は、サービスの質情報を保持するデータパケットヘッダの一部分を特定することを備える。更に本方法は、特定された一部分にサービスの質情報を格納することを含み得る。
【００１０】
別の側面は、サービスの質情報を保持するデータパケットヘッダの一部分を特定するように構成された認識部を備え得る無線通信装置に関する。更に本装置は、特定された一部分にサービスの質情報を格納するように構成された配置部を含み得る。
【００１１】
更なる側面では、無線通信装置は、サービスの質情報を保持するデータパケットヘッダの一部分を特定する手段を備え得る。更に本装置は、特定された一部分にサービスの質情報を格納する手段を備え得る。
【００１２】
また別の側面は、サービスの質情報を保持するデータパケットヘッダの一部分を特定するための機器実行可能な命令をそこに保持する機器読み取り可能な媒体に関する。また、特定された一部分にサービスの質情報を格納するための命令があり得る。
【００１３】
更に別の側面は、サービスの質情報を保持するデータパケットヘッダの一部分を特定するように構成されたプロセッサを含む無線通信システムにおける装置に関する。更に本プロセッサは、特定された一部分にサービスの質情報を格納するように構成され得る。
【００１４】
一側面によれば、本明細書において、サービスの質情報の受信を容易にする方法が述べられる。本方法は、サービスの質情報を有するデータパケットヘッダを得ることを含み得る。更に本方法は、受信されたデータパケットのサービスの質情報を読み出すことを含み得る。
【００１５】
別の側面は、サービスの質情報を有するデータパケットヘッダを得る受信部を備える無線通信装置に関する。更に本装置は、受信されたデータパケットのサービスの質情報を読み出す解釈部を備え得る。
【００１６】
また別の側面は、サービスの質情報を有するデータパケットヘッダを得る手段を備える無線通信装置に関する。更に本装置は、受信されたデータパケットのサービスの質情報を読み出す手段を含み得る。
【００１７】
また別の側面は、サービスの質情報を有するデータパケットヘッダを得るための機器実行可能な命令をそこに保持する機器読み取り可能な媒体に関する。更に、受信されたデータパケットのサービスの質情報を読み出すための命令があり得る。
【００１８】
更なる側面では、サービスの質情報を有するデータパケットヘッダを得るように構成されたプロセッサを備える装置、無線通信システム。更に本プロセッサは、受信されたデータパケットのサービスの質情報を読み出すように構成され得る。
【００１９】
上記の目的及び関連する目的の達成のため、１つまたはそれ以上の実施形態は、以下で十分に説明され、そして特許請求の範囲で特に示された特徴を備えている。下記の説明と添付図面は、１つまたはそれ以上の実施形態の例示的なある側面を詳細に説明する。しかしながらこれらの側面は、種々の実施形態の原理が使用され得る様々な方法のうちのほんの数例を示しており、説明された実施形態は、全てのそのような側面とその等価物の全てを含むことを意図している。
【図面の簡単な説明】
【００２０】
【図１】図１は、本明細書で説明された種々の側面に従った無線通信システムの説明図。
【図２】図２は、データパケットヘッダ内のサービスの質情報の送信のためのモバイル機器及び基地局の構成例の説明図。
【図３】図３は、データパケットヘッダ内のサービスの質情報の送信のためのモバイル機器及び基地局の構成例の詳細の説明図。
【図４】図４は、データパケットヘッダ内のサービスの質情報の送信のためのモバイル機器及び基地局の構成例の説明図。
【図５】図５は、キューにあるデータパケットについてのサービスの質情報を開示するヘッダを有するデータパケット例の説明図。
【図６】図６は、データパケットヘッダへのサービスの質情報の格納を容易にする方法例の説明図。
【図７】図７は、データパケットヘッダへのサービスの質情報の格納を容易にする方法例の詳細の説明図。
【図８】図８は、データパケットヘッダにあるサービスの質情報の読み出しを容易にする方法例の説明図。
【図９】図９は、データパケットヘッダにあるサービスの質情報の読み出しを容易にする方法例の詳細の説明図。
【図１０】図１０は、データパケットヘッダへのサービスの質情報の格納を容易にするモバイル機器の例の説明図。
【図１１】図１１は、データパケットヘッダからのサービスの質情報の読み出しを容易にするシステム例の説明図。
【図１２】図１２は、本明細書で述べられた種々のシステムと方法に関連して実施され得る、無線ネットワーク環境例の説明図。
【図１３】図１３は、データパケットヘッダへのサービスの質情報の格納を容易にするシステム例の説明図。
【図１４】図１４は、データパケットヘッダからのサービスの質情報の読み出しを容易にするシステム例の説明図。
【発明を実施するための形態】
【００２１】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やＣＤＭＡ２０００（登録商標）等の無線技術を導入し得る。ＵＴＲＡは、広帯域ＣＤＭＡ（Ｗ−ＣＤＭＡ）及びＣＤＭＡのその他の改良型を含む。ＣＤＭＡ２０００は、ＩＳ（Interim Standard）−２０００、ＩＳ−９５、及びＩＳ−８５６規格をカバーする。ＴＤＭＡシステムは、ＧＳＭ（Global System for Mobile Communications）のような無線技術を導入し得る。ＯＦＤＭＡシステムは、Evolved ＵＴＲＡ（またはＥ−ＵＴＲＡ）、Ultra Mobile Broadband（ＵＭＢ）、ＩＥＥＥ（Institute of Electrical and Electronics Engineers）８０２．１１（Ｗｉ−Ｆｉ）、ＩＥＥＥ８０２．１６（ＷｉＭＡＸ）、ＩＥＥＥ８０２．２０、Flash-OFDM（登録商標）などのような無線技術を導入し得る。ＵＴＲＡ及びＥ−ＵＴＲＡは、汎用移動通信システム（ＵＭＴＳ）の一部である。３ＧＰＰ ＬＴＥ（Long Term Evolution）は、ダウンリンク上でＯＦＤＭＡ及びアップリンク上でＳＣ−ＦＤＭＡを採用するＥ−ＵＴＲＡを使用する、リリースが近づきつつあるＵＭＴＳである。ＵＴＲＡ、Ｅ−ＵＴＲＡ、ＵＭＴＳ、ＬＴＥ、及びＧＳＭは、第３世代パートナーシッププロジェクト（３ＧＰＰ）と名付けられた機関によるドキュメントで説明されている。ＣＤＭＡ２０００及びＵＭＢは、第３世代パートナーシッププロジェクト２（３ＧＰＰ２）と名付けられた機関によるドキュメントで説明されている。
【００２２】
図面を参照しつつ種々の実施形態がこれより説明され、同じ参照番号は、全体を通じて同じ要素を指すために用いられる。以下の説明においては、例示の目的で、多くの具体的な細部が、一つ以上の実施形態についての十分な理解を与えるために説明される。しかしながら、そのような実施形態がこれらの特定の細部を有することなく実施し得ることは言うまでもない。また別の場合には、１つまたはそれ以上の実施形態の説明を容易にするため、よく知られた構造及びデバイスがブロックダイアグラムの形で示される。
【００２３】
この出願で使用される際、用語「要素」、「モジュール」、「システム」、及び同種の用語は、コンピュータに関連したエンティティ（ハードウェア、ファームウェア、ハードウェアとソフトウェアとの組み合わせ、ソフトウェア、または実行中のソフトウェア）を指すことを意図している。例えば要素は、プロセッサ上で動作しているプロセス、プロセッサ、オブジェクト、実行ファイル、実行スレッド、プログラム、及び／またはコンピュータであってよく、しかしこれらに限定されるものでは無い。一例として、コンピューティング機器上で動作するアプリケーションとこのコンピューティング機器とのいずれもが、要素になり得る。１つまたはそれ以上の要素は、プロセス及び／または実行スレッド内に存在しても良いし、要素は１つのコンピュータ上にとどまっていても良いし、及び／または２つまたはそれ以上のコンピュータ間に分布していても良い。更にこれらの要素は、そこに保持された種々のデータ構造を有する種々のコンピュータ読み取り可能な媒体から実行できる。この要素は、ローカル及び／またはリモートプロセスを経て、例えば一つ以上のデータパケット（例えば、ローカルシステム、分散システムにおいて、及び／または信号を経て別のシステムのインターネットのようなネットワークを横断して、別の要素と互いに情報をやりとりするある要素からのデータ）を有する信号に従って、通信し得る。
【００２４】
更に、種々の実施形態が、モバイル機器と関連して本明細書で説明される。モバイル機器はまた、システム、加入者ユニット、加入者局、モバイル局、モバイル、リモート局、リモート端末、アクセス端末、ユーザ端末、端末、無線通信装置、ユーザエージェント、ユーザ機器、またはユーザ装置（ＵＥ）と呼ばれることがある。モバイル機器は、携帯電話、コードレス電話、Session Initiation Protocol（ＳＩＰ）電話、無線ローカルループ（ＷＬＬ）局、携帯情報端末（ＰＤＡ）、無線接続能力を有する携帯型機器、コンピューティング機器、または無線モデムに接続されたその他の処理デバイスであっても良い。更に種々の実施形態が、基地局に関連して本明細書で説明される。基地局は、モバイル機器と通信するために利用され、またアクセスポイント、ノードＢ、e-ノードＢ（e-ＮＢ）、または幾つかのその他の専門用語で呼ばれ得る。
【００２５】
更に、本明細書で説明された種々の側面または特長は、標準的なプログラミング及び／または工学の技術を用いた方法、装置、または製品として実装され得る。本明細書で使用される用語「製品」は、なんらかのコンピュータ読み取り可能な機器、担体、媒体からアクセス可能なコンピュータプログラムを包含することを意図する。例えば、コンピュータ読み取り可能な媒体は、これらに限定されるものでは無いが、磁気記録媒体（例えばハードディスク、フロッピー（登録商標）ディスク、磁気帯等）、光ディスク（例えばコンパクトディスク（ＣＤ）、ディジタルバーサタイルディスク（ＤＶＤ）等）、スマートカード、及びフラッシュメモリデバイス（例えばＥＰＲＯＭ、カード、スティック、キードライブ（key drive）等）を含むことができる。更に、本明細書で説明された種々の記録媒体は、情報を保持するための、１つまたはそれ以上のデバイス及び／またはその他の機器読み取り可能な媒体を意味しても良い。用語「機器読み取り可能な媒体」は、無線チャネル、及び命令及び／またはデータを保持、収容、及び／または搬送可能な他の種々の媒体を含むことができるが、これらに限定されるものでは無い。
【００２６】
図１を参照して、本明細書で与えられる種々の実施形態に従って、無線通信システム１００が図示される。システム１００は、複数のアンテナグループを含み得る基地局１０２を備えている。例えば、１つのアンテナグループはアンテナ１０４、１０６を含み、別のグループはアンテナ１０８、１１０を含み、更なるグループはアンテナ１１２、１１４を含み得る。２つのアンテナがそれぞれのアンテナグループについて図示されているが、各グループにつきより多くのまたはより少ないアンテナが使用されても良い。基地局１０２は更に、送信機チェーン（transmitter chain）及び受信機チェーン（receiver chain）を含むことが出来、そしてそれぞれは当業者に理解されるように、信号の送信及び受信に関連付けられた複数の要素（例えばプロセッサ、変調器、マルチプレクサ、復調器、デマルチプレクサ、アンテナ等）を備え得る。
【００２７】
基地局１０２は、モバイル機器１１６やモバイル機器１２２のような１つまたはそれ以上のモバイル機器と通信可能であるが、基地局１０２は、モバイル機器１１６、１２２と同様の、実質的にあらゆる数のモバイル機器と通信可能であることが理解される。モバイル機器１１６、１２２は例えば、携帯電話、スマートフォン、ノート型パソコン、携帯型通信機器、携帯型コンピューティング機器、衛星ラジオ、全地球測位システム、ＰＤＡ、及び／または無線通信システム１００上で通信するためのその他のあらゆる適切な機器であり得る。図示するように、モバイル機器１１６はアンテナ１１２、１１４と通信し、アンテナ１１２、１１４はフォワードリンク１１８上でモバイル機器１１６に情報を送信し、リバースリンク１２０上でモバイル機器１１６から情報を受信する。更に、モバイル機器１２２はアンテナ１０４、１０６と通信し、アンテナ１０４、１０６はフォワードリンク１２４上でモバイル機器１２２に情報を送信し、リバースリンク１２６上でモバイル機器１２２から情報を受信する。周波数分割複信方式（ＦＤＤ）システムでは例えば、フォワードリンク１１８はリバースリンク１２０で使用されるものと異なる周波数バンドを利用し、フォワードリンク１２４はリバースリンク１２６で使用されるものと異なる周波数バンドを利用することが出来る。更に、時分割複信方式（ＴＤＤ）システムでは、フォワードリンク１１８とリバースリンク１２０は共通の周波数バンドを利用し、フォワードリンク１２４とリバースリンク１２６は共通の周波数バンドを利用出来る。
【００２８】
アンテナのセット、及び／またはそれらが通信を指定するエリアは、基地局１０２のセクタと呼ばれ得る。例えば、複数のアンテナは、基地局１０２にカバーされた領域のセクタ内のモバイル機器と通信するように設計され得る。フォワードリンク１１８、１２４上の通信では、基地局１０２の送信アンテナはビームフォーミング（beamforming）を用いて、モバイル機器１１６、１２２についてのフォワードリンク１１８、１２４の信号・ノイズ比を向上させ得る。また、基地局１０２がビームフォーミングを用いて、受信可能エリア内にランダムに分布するモバイル機器１１６、１２２に送信する場合、隣接するセル内のモバイル機器は、単一のアンテナから全モバイル機器に送信する基地局に比べて、受ける干渉は小さい。
【００２９】
図２を参照して、データパケットヘッダを介してサービスの質（quality-of-service：ＱｏＳ）の、例えばモバイル機器２０２から基地局２０４への送信を可能とする、サーバのようなシステム例２００が開示される。モバイル機器２０２は、データパケットを基地局２０４へ転送し、このパケットはヘッダセグメントにＱｏＳ情報を含む。例えばこのデータパケットヘッダは、メディアアクセス制御（ＭＡＣ）ヘッダ、または無線リンク制御（ＲＬＣ）ヘッダであり得る。主題となる開示におけるＭＡＣヘッダまたはＲＬＣヘッダの使用は、データパケットヘッダの例として使用されるものであり、よってデータパケットヘッダのその他のあらゆる形式に置き換えられ得ることが理解されるだろう。データパケットは、例えば情報グループ（information group）と共にＭＡＣヘッダを含み得る。
【００３０】
種々のデータパケットが、基地局２０４への送信を待つモバイル機器２０２にあるキュー（queue）内に存在し得る。データパケットについてのＱｏＳ情報は、送信データパケットのＭＡＣヘッダ内に置かれ得る。認識部２０６は、情報グループと、この情報グループに付随するＭＡＣヘッダとの両方の解析を活用して、ＱｏＳ情報を保持可能なデータパケットヘッダの一部分を特定し得る。例えば、付随する情報グループの送信の期間に使用されない、ＭＡＣヘッダにおけるビット（またはバイト）が存在し得る。認識部２０６は、この使用されないバイトを、ＱｏＳ情報の格納場所と特定し得る。配置部（arranger）２０８は、特定された一部分にＱｏＳ情報を格納し、格納の期間に、ＭＡＣヘッダ情報が偶発的に削除されるようなエラーが起きなかったことを裏付けるための検証が起こり得る。ＱｏＳ情報を備えたＭＡＣヘッダが、付随する情報グループと共に、基地局２０４へ送信され得る。
【００３１】
基地局は、付随する情報グループと共にＱｏＳ情報を備えたＭＡＣヘッダを集めることが出来、これは受信部２１０によって進められ得る。例えば受信部２１０は、得られたデータパケットが信頼できるソースからのものと判断する認証部のような、種々の更なる特徴と共に動作することが出来る。更に受信部２１０は、ＱｏＳ情報を有するデータパケットヘッダを送信したモバイル機器を特定し得る。ＱｏＳ情報を有するデータパケットヘッダを複数のモバイル機器が基地局２０４に送信することが可能であり、受信部２１０は、特定のパケットをどのモバイル機器が送信したかを判断し得る。解釈部（interpreter）２１０は、ＭＡＣヘッダのＱｏＳ情報を確認（identify）し、確認された情報を読み出し得る。
【００３２】
共通のデータパケットの転送において、ＱｏＳ情報は帯域外で転送される（transferred out-of-band）、つまりこれは、ＱｏＳ情報は別の物理チャネルで送信されることを意味する。しかしながら、ある通信システム（例えばＬＴＥタイプのシステム）では、ＱｏＳ情報の転送に使用する更なる物理チャネルは存在しない。ＬＴＥのシナリオにおける更なる物理チャネルの欠如に対する一般的な解決手段は、フレームセグメンテーションに帯域内信号方式（in-band signaling）を使用することである。これは多くのアプリケーションについて研究されてきたので、僅かな別の研究がなされている。主題となる開示は、フレームセグメンテーションに帯域内信号方式を使用する一般的な傾向に反して、ＱｏＳ情報を既存のＭＡＣヘッダに含め、よって実質的にオーバーヘッドを解消し、殆どエラーを許さない。このことは、フレームセグメンテーションが、もし使用不可能である場合に音声通信が困難となるような目的不達成を引き起こすＶｏＩＰ（Voice-over-Internet Protocol）通信において特に重要となり得る。
【００３３】
これより図３を参照して、モバイル機器２０２の詳細と共に、データパケットヘッダを介してＱｏＳが送信されることを可能とするシステム例３００が開示される。認識部２０６は、ＱｏＳ情報を保持可能なデータパケットヘッダの一部分を特定し得る。特定された一部分から、解析部３０２は、ＱｏＳ情報を保持可能なデータパケットヘッダの一部分のサイズを判断し得る。
【００３４】
どのようなＱｏＳ情報が基地局２０４への送信に利用可能であるかに関する判断が、評価部３０４によってなされ得る。基地局２０４に使用され得るＱｏＳ情報の共通の例は、スケジューリング情報、キューサイズ、キュートークンバケット（queue token bucket depth）深さにおけるデータのディレイプロファイル、キューディレイの先頭、ディレイデッドライン、ＱｏＳの必要条件を満たす最小データレート等を含み得る。評価部３０４は、基地局２０４に役立つＱｏＳ情報を予測するために、人工知能技術を使用し得る。
【００３５】
利用可能なＭＡＣヘッダ部の許容された全サイズよりも大きい、基地局に送信され得るＱｏＳ情報があっても良い。ＱｏＳ情報は、ＭＡＣヘッダの特定された一部分にフィット（fit）するように、圧縮部（condenser）３０６によって圧縮されることも出来る。不可逆圧縮及び可逆圧縮を含む、種々のタイプの圧縮技術が使用され得る。しかしながら、圧縮されたＱｏＳ情報が、まだＭＡＣヘッダの特定された一部分にフィットするには大きすぎる可能性がある。決定部３０８は、例えば予め定められたルールのセットに基づいて、ＭＡＣヘッダに格納するＱｏＳ情報を選択し得る。圧縮部３０６及び決定部３０８のその他の構成及び動作が実施されうる。例えば決定部３０８は、ＱｏＳ情報の異なる要素の圧縮サイズを予測し、圧縮前の予測に基づいて、含める要素を選択し得る。このことは、比較的多くのリソースを消費する圧縮が少なく済むので、システム３００のリソースを節約し得る。圧縮部３０６は、選択されたＱｏＳ情報を圧縮することが出来、そして更にデータを追加する残りのスペースがあるかのチェックが行われ得る。更に、決定部３０８の動作が修正され得るように（例えば予測のされ方）、フィードバックが与えられ得る。
【００３６】
配置部２０８は、ＭＡＣヘッダの特定された一部分に、ＱｏＳ情報を例えば圧縮された形式で、格納し得る。データ送信部３１０は、ＱｏＳ情報を有するＭＡＣヘッダを、付随する情報グループと共に、基地局２０４へ送信し得る。一実施形態によれば、情報グループ及び／またはＭＡＣヘッダは、セキュリティの目的で暗号化され得る。基地局２０４は、データ送信部３１０からＭＡＣヘッダ及び情報グループを得る受信部２１０を有し、更に解釈部２１２が、ＭＡＣヘッダ内に含まれるＱｏＳ情報を読み出し得る。
【００３７】
これより図４を参照して、モバイル機器２０２と基地局２０４の詳細と共に、データパケットヘッダを介してＱｏＳが送信されることを可能とするシステム例４００が開示される。認識部２０６は、キューにおいて送信を待つＱｏＳ情報を保持し得る、情報グループに付随するＭＡＣヘッダの一部分を特定し得る。ＱｏＳ情報は、特定されたＭＡＣヘッダの一部分に、配置部２０８によって配置されることが出来、ＱｏＳ情報を保持するＭＡＣヘッダと付随する情報グループとは、基地局２０４に送信され得る。
【００３８】
基地局２０６において受信部２１０は、ＱｏＳ情報を有するＭＡＣヘッダを含むデータパケットを得ることが出来る。復元部４０２は、ＭＡＣヘッダにある、例えば図３の圧縮部３０６によって圧縮されたＱｏＳ情報を復元し得る。データの復元に関して、結果が一致するかを確認するための復元の複数回の繰り返し実行のような、種々の検証が行われ得る。もし結果が不一致であれば、復元の正しい結果を判断するためのルールが使用され得る。
【００３９】
復元されたＱｏＳ情報は、ローカルストレージに保持され、解釈部２１２によって読み出され得る。読み出された結果は、読み出しに基づいて動作（例えば基地局２０４の動作）を修正する修正部４０４に転送され得る。ＶｏＩＰコンテキストでは、正常な機能性が得られ得ることを確かにするために、特定のリソース保証（guarantee）がＱｏＳ情報において定められる。例えばＱｏＳ情報は、ＶｏＩＰ通信を成功させるために、特定のデータレートが維持されるべきことを定め得る。システム４００で使用されるＱｏＳ情報は、ディレイ情報、キューサイズ、最小データレート、またはこれらの組み合わせを含み得る。
【００４０】
ここで図５を参照して、データパケットの構成例５００が開示され、このデータパケットは、図２のモバイル機器２０２と図２の基地局２０４との間で交わされ得る。例えばあるデータパケット内にあるＱｏＳ情報は、それが設けられたデータパケットとは無関係である。もしＱｏＳ情報が、並行（concurrent）する情報について記述する場合には、種々の問題が起こり得る。例えばデータパケット５０２は、ヘッダＡ５０４と情報グループＡ５０６を備え得る。もしヘッダＡ５０４が、それが付随する情報グループＡ５０６に関するＱｏＳ情報を記述していれば、ＱｏＳ情報にはほとんど有用性は無いだろう。処理時間、内在するディレイ、及び同種のものにより、情報グループＡ５０６は、ヘッダＡ５０４内のＱｏＳ情報が読み出されて、読み出した情報に基づいて動作が行われる前に、処理される。
【００４１】
従って、ＭＡＣヘッダ内のＱｏＳ情報は、このＭＡＣヘッダが付随されない後に続くデータパケットに関し、例えばこの後に続くデータパケットはキューに存在し得る。別のパケット５０８が、図２のモバイル機器２０２から図２の基地局２０４への転送をバッファ内で待つキュー内にあり、このデータパケット５０８は、ヘッダＢ５１０と情報グループＢ５１２を含む。ヘッダＡ５０４は、データパケットについてのＭＡＣヘッダが後に続くデータパケットのＱｏＳ情報を特定するように、情報グループＢ５１２についてのＱｏＳ情報を含み得る。同様に、データパケット５１４はヘッダＣ５１６及び情報グループＣ５１８を有し、ヘッダＢ５１０は、情報グループＣ５１８に関するＱｏＳ情報を含む。後に続くデータパケットのＱｏＳ情報を含むＭＡＣヘッダは、キューを通じて続き得る。
【００４２】
一実施形態によれば、図２の基地局２０４と図２のモバイル機器２０２は、ＭＡＣヘッダのＱｏＳ設定（QoS configuration）を改善するために互いに通信し得る。ＱｏＳ情報は、直後に続くデータパケットについて、ＭＡＣヘッダ内に配置され得る。しかしながら、これは、図２の基地局２０４の適切な処理には、まだ十分には速く無いかもしれない。より離れるべきである旨のメッセージが、図２のモバイル機器２０２に送られ、そして図２のモバイル機器２０２は、例えば、ＱｏＳ情報を、図２の基地局２０４で受信される２パケット前のＭＡＣヘッダに格納する等、ＱｏＳ情報間の距離を大きくし得る。逆に、ＱｏＳ情報がより近いデータパケットに格納された通信が行われても良い。図５では、独立した情報グループとヘッダがデータパケットの一部として示されているが、その他の構成で実施されても良いことが理解される。例えば、データパケット自身が情報グループであり、データパケットは付随されるが、しかしデータパケットから独立したエンティティであっても良い。
【００４３】
図６−９を参照して、ＭＡＣヘッダ内のＱｏＳ情報の転送に関する方法が説明される。説明を簡潔にする目的で、方法は連続した動作として示され、述べられるが、方法は、この動作の順序に限定されるものでは無く、１つまたはそれ以上の実施形態に従ったある動作は、本明細書で示され且つ述べられたのと異なる順序で行われ、及び／または他の動作と同時に行われ得ることが、理解され、認識され得る。例えば、方法は、ステートダイアグラムにおけるような、相互に関連する連続した状態またはイベントとしても代わりに示され得ることが、当業者によって理解され、認識され得るだろう。更に、１つまたはそれ以上の実施形態に従った方法を実施するためには、必ずしも説明された全ての動作が必要とは限らない。
【００４４】
まず図６を参照して、ＱｏＳ情報をＭＡＣヘッダに格納するための方法例６００が開示される。動作６０２において、ＱｏＳ情報を保持可能なＭＡＣヘッダの一部分が特定され得る。空き領域を認識するために、ＭＡＣヘッダのスキャンが行われ、ここで空き領域は、もしあれば、ＱｏＳ情報保持可能な一部分として特定される。しかしながら、より複雑な判断が為されても良い。例えば、空き領域の認識に加えて、空き領域のサイズを判断することや空き領域が揮発性であるかを判断すること等、この空き領域がＱｏＳ情報の保持に適切であるかを判断するために、種々のテストが為されても良い。
【００４５】
イベント６０４において、ＱｏＳ情報は、特定された空き領域に格納され得る。格納は、ＭＡＣヘッダ全体に分散して、またはあるまとまった領域内になされ得る。具体例においては、ヘッダの１カ所にＱｏＳ情報を格納する空きバイトがあるかどうかを判断するためのチェックが為され得る。もし１カ所があれば、格納される；しかしながら、１つの領域も無ければ、ＱｏＳ情報はＭＡＣヘッダの全体に分散され得る。一実施形態では、ＭＡＣヘッダに関する操作が為され得る。非ＱｏＳ情報が、ＱｏＳ情報のためのまとまった空間を作るために移動され得る。更に、非ＱｏＳ情報がＱｏＳ情報をまとめるためだけでなく、それ自身をまとめるために移動されるような、知的な配置が為されても良い。
【００４６】
次に図７を参照して、ＱｏＳ情報をデータパケットヘッダに格納する方法例７００が開示される。動作７０２において、どのＱｏＳ情報がデータパケットヘッダに格納され、及び／または送信されるかの判断が為され得る。ディレイデータ、スケジューリング情報、及び同種のもののようなＱｏＳ情報を収集し、及び／または生成するため、解析がなされ得る。履歴的に基地局に有用であるＱｏＳ情報を決定するために、以前の通信が解析され、及び／または基地局に有効でありそうなデータを予測するために複合的な解析がなされ得る。選択的なＱｏＳ情報が、データパケットヘッダへの格納のために指定され得る。これは、利用可能な／知られたＱｏＳ情報の全てまたは一部を含み得る。
【００４７】
動作７０４において、ＱｏＳ情報を保持可能なデータヘッダの一部分が特定され、これはこの主題となる開示の側面において述べられたものとして行われ得る。一部分の特定に加えて、イベント７０６では、利用可能な一部分のサイズが判断され得る。一部分のサイズの判断は、ＭＡＣヘッダにおける全サイズ、利用可能なセグメントの一部のサイズ等を含み得る。
【００４８】
特定された一部分内にＱｏＳ情報がフィット（fit）するどうかを判断するために、チェック７０８が為され得る。もしＱｏＳ情報がフィットしなければ、ＭＡＣヘッダへの格納が可能となるようにＱｏＳ情報をフィルタ及び／または圧縮されるべきかどうかの判断が、チェック７１０において為され得る。もし圧縮が選択されれば、特定された一部分内にフィットするＱｏＳ情報になるよう、ブロック７１２において非可逆または可逆圧縮が為され得る。イベント７１４において選択が選ばれれば、どのＱｏＳ情報がデータパケットヘッダに含まれるべきかについてのフィルタリングが為され得る。フィルタリングは、加重動作（weighted exercise）であって、情報が比較的低い有用性であると評価された場合であってもより多くのＱｏＳ情報が保持され得るように、サイズに対して情報の有用性のバランスが取られる。
【００４９】
方法７００では、選択と圧縮とが互いに排他的に開示されているが、ＱｏＳ情報の１セットにつき両方が為され得ることが理解されるだろう。例えば、ＱｏＳ情報が圧縮され、そして方法７００はそれがフィットするかを判断するためにチェック７０８に戻っても良い。もし圧縮されたＱｏＳ情報がデータパケットヘッダにフィットしなければ、方法７００は圧縮されたＱｏＳ情報をフィルタし得る。反対に、ＱｏＳ情報はフィルタされ、その後圧縮されても良い。更に方法７００は、別の実施形態において、圧縮と選択とが、ＱｏＳ情報が特定された空間にフィットするように出来ない場合のための手順を含むことが出来、例えばエラーメッセージが送信され得る。
【００５０】
イベント７１６において、主題となる開示の側面で述べられたように、ＭＡＣヘッダの特定された一部分にＱｏＳ情報が格納され得る。方法７００は、チェック７０８が、特定された一部分にＱｏＳ情報がフィットするという肯定的な結果となった場合、並びにＱｏＳ情報の圧縮／選択の後に、このイベントを導き得る。一実施形態によれば、１つのデータパケットに関するＱｏＳ情報は、複数のデータパケットヘッダ内に格納され得る。例えば、スケジュール情報と最小リソース要求が、あるデータパケットに関して基地局に必要な情報であり得るが、圧縮された形であっても、必要な両方の情報を保持し得る１つのＭＡＣヘッダが利用出来ない場合があり得る。対象としているパケットの３つ前についてのデータパケットのＭＡＣヘッダが、スケジューリング情報を保持し得る一方で、対象としているパケットの２つ前のデータパケットのＭＡＣヘッダが、最小リソース要求を保持することが出来る。
【００５１】
ＱｏＳ情報を保持するデータパケットヘッダは、イベント７１８において送信され、例えば基地局へ直接送信され得る。ＱｏＳ情報を有するＭＡＣヘッダは、データパケットに付随され、そして無線によって送信され得る。更に、ＱｏＳを有するデータパケットヘッダの送信は、暗号化のような種々の保護機能に用いることにより、機密データを保護し得る。
【００５２】
次に図８を参照して、ＱｏＳ情報を保持するデータパケットヘッダを処理する方法例８００が開示される。動作８０２において、データパケットヘッダが得られ、例えば放送電波通信を介して受信され得る。データパケットヘッダ（及び関連付けられたデータパケット）を得る間、種々のチェックが実行され得る。例えば、データパケットヘッダにつきセキュリティスキャンが行われて、悪意のあるコンテンツがあるかどうかが判断されることが出来、もし悪意のあるコンテンツが見つかればブロックされ、悪意のあるコンテンツは隔離され得る、等である。
【００５３】
データパケットヘッダ内に保持されたＱｏＳ情報は、動作８０４において読み出され得る。ＱｏＳ情報を読み出す間、この情報のコピーがストレージに保持され得る。データパケットヘッダ内のＱｏＳ情報は、付随するデータパケットに関するものでは無く、キューの中に保持されるデータパケットに関するものであるので、読み出しは、ＱｏＳ情報が関するデータパケットを特定することを含み得る。
【００５４】
次に図９を参照して、ＱｏＳ情報を保持するデータパケットを処理する方法例９００が開示される。動作９０２において、ヘッダを有するデータパケットが得られ得る。このパケットが、承認されたソースから発せられたかどうかを判断するチェック等、数々のチェックが、ＭＡＣヘッダを有するデータパケットの受信について行われ得る。
【００５５】
ある状況では、ＱｏＳ情報を含むデータパケットヘッダは、圧縮されたＱｏＳ情報を有する。従って、イベント９０４を通じて、ＱｏＳ情報の復元が行われ得る。復元は、ＱｏＳ情報のみについて、データパケットヘッダ情報について、データパケット全体について、またはその他につき行われる。復元に加えて、もしＱｏＳ情報が、暗号鍵を用いる等して保護されている場合には、復号化も行われ得る。
【００５６】
復元されたＱｏＳ情報は、動作９０６を通じて読み出され、この動作９０６はＱｏＳ情報の意味を解釈することを含み得る。例えばＱｏＳ情報は、ＶｏＩＰ通信に費やされるべきリソースの最小量を定義し得る。チェックを行うことにより、定義されたリソースの量が使用可能であるかが判断され得る。
【００５７】
イベント９０８において、ＱｏＳ情報の読み出しが行われ得る。前の例を用いて、もし利用可能なリソースが十分であれば、適切な量のリソースが割り当てられ得る。最小量が満たされる間は、リソースの好ましい量を判断することや好ましい量を割り当てることのような、より複雑な動作が行われ得る。しかしながら利用可能なリソースが十分で無い場合、不要な消費リソースを開放して最小量に達するようにする動作が行われ得る。更に、例えば、もし十分なリソースがＶｏＩＰ通信の用途として確保されなければ、失敗のメッセージの送信のような、この不一致を解消するためのロジックが実装され得る。
【００５８】
本明細書で述べられた１つまたはそれ以上の側面によれば、ＭＡＣヘッダへのＱｏＳ情報の格納が実施されるべきか等に関する推測が為されても良いことが理解されるだろう。本明細書で使用される際、推測（infer or inference）は、イベント及び／またはデータを介して取り込まれたものとしての観測結果のセットから、システム、環境、及び／またはユーザの状態を推測（inferring）し、または推論（reasoning about）することのプロセスを指す。推測は例えば、特定のコンテキストまたは動作を特定するために使用されることが出来、または状態の確率分布をもたらし得る。この推測は、確率的であり得る。すなわち、データ及びイベントの考慮に基づく着目する状態の確率分布の計算である。推論はまた、イベント及び／またはデータのセットから、より高いレベルのイベントを構成するために使用される方法を指すことも出来る。そのような推論によって、イベントが時間的に密接に関連していようとなかろうと、そしてイベント及びデータが１つのイベント及びデータソースから来ているかまたは複数から来ているかに関わらず、観測されたイベント及び／または保持されたイベントデータから、新たなイベントまたは動作が構成される。
【００５９】
図１０は、ＱｏＳ情報のデータパケットヘッダへの格納を容易にし得るモバイル機器１０００を例示する。モバイル機器１０００は、例えば受信アンテナ（図示せず）から信号を受信し、そして受信した信号についての典型的な動作（例えばフィルタ、増幅、ダウンコバート等）を行い、調整された信号をデジタル化してサンプルを得る受信部１００２を備えている。受信部１００２は例えばＭＭＳＥ受信機であり、受信したシンボルを復調し、チャネルの評価のためにそれをプロセッサ１００６に供給する復調部１００４を備えることが出来る。プロセッサ１００６は、受信部１００２によって受信された情報を解析し、及び／または送信部１０１６による送信のための情報を生成するプロセッサ、モバイル機器１０００の１つまたはそれ以上の要素を制御するプロセッサ、及び／または受信部１００２で受信された情報を解析し、送信部１０１６による送信のための情報を生成し、そしてモバイル機器１０００の１つまたはそれ以上の要素を制御するプロセッサであり得る。
【００６０】
モバイル機器１０００は、プロセッサ１００６と動作可能に結合され、送受信データ、利用可能なチャネルに関する情報、解析された信号及び／または干渉強度に関連するデータ、割り当てられたチャネルに関する情報、割り当てられたチャネル、電力、レートなど、及びチャネルとチャネルを介した通信を評価するための適切なあらゆる他の情報を保持するように構成されたメモリ１００８を備え得る。メモリ１００８は更に、チャネルの利用及び／または評価（例えばパフォーマンスを基準に、容量を基準に、など）することに関連するアルゴリズム及び／またはプロトコルを保持し得る。メモリ１００８はまた、実行可能なコード及び／または命令（例えばプロセッサ１００６によって実行可能）を保持し得る。例えばメモリ１００８は、ＱｏＳ情報を保持するデータパケットヘッダの一部分を特定するための命令、及び特定された一部分にＱｏＳ情報を格納するための命令を保持し得る。
【００６１】
本明細書で説明されたデータ保持部（例えばメモリ１００８）は、揮発性メモリまたは不揮発性メモリであって良く、または揮発性及び不揮発性メモリの両方を含んでも良いことが理解されるだろう。例示の目的で且つこれに限定するものでないが、不揮発性メモリは、読み出し専用メモリ（ＲＯＭ）、書き込み可能なＲＯＭ（ＰＲＯＭ）、電気的に書き込み可能なＲＯＭ（ＥＰＲＯＭ）、電気的に消去可能なＰＲＯＭ（ＥＥＰＲＯＭ）、またはフラッシュメモリを含むことが出来る。揮発性メモリは、外部キャッシュメモリとして動作可能なランダムアクセスメモリ（ＲＡＭ）を含むことが出来る。例示の目的で且つこれに限定するものでないが、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンスドＳＤＲＡＭ（ＥＳＤＲＡＭ）、Synchlink ＤＲＡＭ（ＳＬＤＲＡＭ）、及びダイレクトラムバス（direct Rambus（登録商標））ＤＲＡＭ（ＤＲＲＡＭ）のような多くの形態で利用可能である。主題となるシステム及び方法のメモリ１００８は、これに限定されないが、これらの及びその他のあらゆる適切なタイプのメモリを含むことを意図している。
【００６２】
プロセッサ１００６は、ＱｏＳ情報を保持し得るデータパケットヘッダの一部分の特定を容易にする認識部１０１０に、動作可能に結合されている。更にプロセッサ１００６は、ＱｏＳ情報を、データパケットヘッダの特定された一部分に格納する配置部１０１２に、動作可能に結合され得る。認識部１０１０及び／または配置部１０１２は、図２−４を参照して上記述べたような側面を含み得る。モバイル機器１０００は、例えば基地局や別のモバイル機器等に信号（例えば、ベースＣＱＩ及びdifferential ＣＱＩ）を送信する送信部１０１６及び変調部１０１４を含み得る。プロセッサ１００６とは別に記載されているが、認識部１０１０及び／または配置部１０１２はプロセッサ１００６または複数のプロセッサ（図示せず）の一部であっても良いことが理解される。
【００６３】
図１１は、ＭＡＣヘッダからのＱｏＳ情報の読み出しを容易にし得るシステム１１００を例示する。システム１１００は、複数の受信アンテナ１１０６を介して１つまたはそれ以上のモバイル機器１１０４から信号を受信する受信部１１１０と、送信アンテナ１１０８を介して１つまたはそれ以上のモバイル機器１１０４に送信する送信部１１１２とを有する基地局１１０２（例えばアクセスポイント）を備えている。受信部１１１０は、受信アンテナ１１０６から情報を受信出来、受信した情報を復調する復調部１１１２に動作可能に関連付けられている。更に受信部１１１０は、ＱｏＳ情報を保持するデータパケットヘッダを得ることが出来る。復調されたシンボルは、図１０に関連して上記述べたようなプロセッサと同様であり、そして評価信号（例えばパイロット）の強度及び／または干渉強度、モバイル機器１１０４（または異なる基地局（図示せず））との間の送受信データ、及び／または本明細書で説明された種々の動作及び機能の実行に関するあらゆる他の適切な情報を保持するメモリ１１１６に結合されたプロセッサ１１１４によって解析され得る。プロセッサ１１１４は更に、受信部１１１０によって収集されたＱｏＳ情報を読み出す解釈部１１１８に結合され得る。変調部１１２０は、送信部１１２２によるアンテナ１１０８を介したモバイル機器１１０４への送信のための情報を多重化するように構成され得る。プロセッサ１１１４とは別個に記載されているが、受信部１１１０、解釈部１１１８、及び／または変調部１１２０は、プロセッサ１１１４または複数のプロセッサ（図示せず）の一部であっても良いことが理解さる。メモリ１１１６はまた、実行可能なコード及び／または命令（例えばプロセッサ１１１４によって実行可能）を保持し得る。例えばメモリ１１１６は、ＱｏＳ情報を有するデータパケットヘッダを得るための命令と、受信されたデータパケットのＱｏＳ情報を読み出すための命令を保持し得る。
【００６４】
図１２は、無線通信システム例１２００を示す。無線通信システム１２００は、簡潔さのために、１つの基地局１２１０と１つのモバイル機器１２５０が図示されている。しかしながら、システム１２００が１つを超える数の基地局及び／または１つを超える数のモバイル機器を含んでも良く、更なる基地局及び／またはモバイル機器が以下で説明される基地局１２１０及びモバイル機器１２１０の例と実質的に同様または異なっていても良いことが理解される。更に基地局１２１０及び／またはモバイル機器１２５０は、本明細書で説明されたシステム（図１−４、１０−１１）、コンフィギュレーション（図５）、及び／または方法（図６−９）を実施して、これらの間の無線通信を容易に出来ることが理解される。
【００６５】
基地局１２１０では、多くのデータストリームについてのトラフィックデータが、データソース１２１２から送信（ＴＸ）データプロセッサ１２１４に供給される。一例によれば、各データストリームは、各アンテナ上に送信され得る。ＴＸデータプロセッサ１２１４は、符号化データを得るために選択されたある符号化スキームに基づいて、トラフィックデータをフォーマットし、符号化し、そしてインターリーブする。
【００６６】
各データストリームにつき符号化されたデータは、直交周波数分割多重（ＯＦＤＭ）技術を用いてパイロットデータとマルチプレクスされ得る。更にまたは代わりに、パイロットシンボルが周波数分割多重（ＦＤＭ）、時分割多重（ＴＤＭ）、または符号分割多重（ＣＤＭ）されても良い。このパイロットデータは、チャネル応答を評価するためにモバイル機器１２５０において使用されることが出来、また既知の方法によって処理される、典型的には既知のデータパターンである。各データストリームについての、マルチプレクスされたパイロットと符号化されたデータは、変調シンボルを得るためにデータストリームにつき選択されたある変調スキーム（例えば、二位相偏移変調（ＢＰＳＫ）、四位相偏移変調（ＱＰＳＫ）、多値位相変調（Ｍ−ＰＳＫ）、多値直交振幅変調（Ｍ−ＱＡＭ）等）に従って変調されることが出来る。各データストリームについてのデータレート、符号化、及び変調は、プロセッサ１２３０によって与えられるまたは実行される命令により決定され得る。
【００６７】
データストリームについての変調シンボルは、変調シンボルを更に処理（例えばＯＦＤＭ）し得るＴＸ ＭＩＭＯプロセッサ１２２０に供給されることが出来る。ＴＸ ＭＩＭＯプロセッサ１２２０は更に、ＮＴ個の変調シンボルストリームを、ＮＴ個の送信部（ＴＭＴＲ）１２２２ａ〜１２２２ｔに供給する。ある実施形態では、ＴＸ ＭＩＭＯプロセッサ１２２０は、データストリームのシンボル及びこのシンボルが送信されるアンテナに、ビームフォーミングの重みを適用する。
【００６８】
各送信部１２２２は、各シンボルストリームを受信して処理し、１つまたはそれ以上のアナログ信号を供給し、更にこのアナログ信号を調整（例えば増幅、フィルタ、及びアップコンバート）して、ＭＩＭＯチャネル上での送信に適切な変調信号を供給する。更に、送信部１２２２ａ〜１２２２ｔからのＮＴ個の変調信号が、ＮＴ個のアンテナ１２２４ａ〜１２２４ｔからそれぞれ送信される。
【００６９】
モバイル機器１２５０では、送信された変調信号がＮＲ個のアンテナ１２５２ａ〜１２５２ｒで受信され、各アンテナ１２５２からの受信信号が各受信部（ＲＣＶＲ）１２５４ａ〜１２５４ｒに供給される。各受信部１２５４は、各信号を調整（例えばフィルタ、増幅、及びダウンコバート）し、調整された信号をデジタル化してサンプルを得、そして更にこのサンプルを処理して、対応する“受信”シンボルストリームを供給する。
【００７０】
ＲＸ データプロセッサ１２６０は、ある受信機処理技術に基づいて、ＮＲ個の受信部１２５４からのＮＲ個の受信シンボルストリームを受信して処理し、ＮＴ個の“検出”シンボルストリームを供給出来る。ＲＸ データプロセッサ１２６０は、各検出シンボルを復調、デインターリーブ（deinterleave）、及び復号化して、データストリームについてのトラフィックデータを再生（recover）出来る。ＲＸデータプロセッサ１２６０によるこの処理は、基地局１２１０におけるＴＸ ＭＩＭＯプロセッサ１２２０及びＴＸデータプロセッサ１２１４により実行されるそれと相補的である。
【００７１】
プロセッサ１２７０は、上記議論されたように、定期的に、使用するプリコーディングマトリックス（precoding matrix）を判断し得る。更にプロセッサ１２７０は、マトリックスインデックス部（matrix index portion）とランク値部（rank value portion）とを備えるリバースリンクメッセージを組み立てることが出来る。
【００７２】
リバースリンクメッセージは、通信リンク及び／または受信データストリームについての種々のタイプの情報を備え得る。リバースリンクメッセージは、ＴＸデータプロセッサ１２３８（ＴＸデータプロセッサ１２３８はまた、データソース１２３６からの多くのデータストリームについてのトラフィックデータを受信する）によって処理され、変調部１２８０によって変調され、送信部１２５４ａ〜１２５４ｒによって調整され、そして基地局１２１０に送信されて戻される。
【００７３】
基地局１２１０では、モバイル機器１２５０からの変調信号がアンテナ１２２４で受信され、受信部１２２２で調整され、復調部１２４０で復調され、そしてＲＸデータプロセッサ１２４２で処理されて、モバイル機器１２５０によって送信されたリバースリンクメッセージが取り出される。更にプロセッサ１２３０は、取り出されたメッセージを処理して、ビームフォーミングの重みを決定するために、どのプリコーディングマトリックスを用いるかを判断する。
【００７４】
プロセッサ１２３０、１２７０はそれぞれ、基地局１２１０及びモバイル機器１２５０の動作を命令（例えば制御、調整、管理など）出来る。各プロセッサ１２３０、１２７０は、プログラムコード及びデータを保持するメモリ１２３２、１２７２に関連付けられることが出来る。プロセッサ１２３０、１２７０はまた、周波数を得るための計算を実行可能であり、そしてそれぞれアップリンク及びダウンリンクについてのインパルス応答評価を行うことが出来る。
【００７５】
本明細書で述べられた実施形態は、ハードウェア、ソフトウェア、ファームウェア、ミドルウェア、マイクロコード、またはこれらのあらゆる組み合わせにより実装可能であることが理解される。ハードウェア実装では、処理ユニットは、１つまたはそれ以上の、本明細書で述べられた機能を実行するように設計された特定用途向け集積回路（ＡＳＩＣ）、デジタルシグナルプロセッサ（ＤＳＰ）、デジタルシグナルプロセッサデバイス（ＤＳＰＤ）、プログラマブル論理デバイス（ＰＬＤ）、フィールドプログラマブルゲートアレイシグナル（ＦＰＧＡ）、プロセッサ、コントローラ、マイクロコントローラ、マイクロプロセッサ、その他の電子機器、またはこれらの組み合わせ内で実施可能である。
【００７６】
実施形態がソフトウェア、ファームウェア、ミドルウェア、またはマイクロコード、プログラムコード、またはコードセグメントで実装される場合、これらは記憶要素のような機器読み出し可能な媒体に保持され得る。コードセグメントは、手順、機能、サブプログラム、プログラム、ルーチン、サブルーチン、モジュール、ソフトウェアパッケージ、クラス、または命令、データ構造、またはプログラムステートメントの組み合わせを表し得る。コードセグメントは、情報、データ、アーギュメント、パラメータ、またはメモリコンテンツを渡す、及び／または受信することにより、別のコードセグメントまたはハードウェア回路と結合され得る。情報、アーギュメント、パラメータ、データ等は、メモリ共有、メッセージパッシング（message passing）、トークンパッシング（token passing）、ネットワーク送信などを含む適切な手段を用いることで、パスされ、フォワードされ、または送信されることができる。
【００７７】
ソフトウェア実装においては、本明細書で説明された方法は、本明細書で説明された機能を実行するモジュール（例えば手順、機能、及び同種のもの）で実装され得る。ソフトウェアコードは、メモリユニットに保持され、プロセッサで実行され得る。メモリユニットは、プロセッサ内に実装されることができ、または当技術分野で周知の種々の手段を介してプロセッサと通信可能に接続されることができる場合に、プロセッサの外部で実装され得る。
【００７８】
図１３を参照して、ＭＡＣヘッダへのＱｏＳ情報の格納を達成するシステム１３００が図示されている。例えばシステム１３００は、少なくとも部分的にモバイル機器内部に存在し得る。プロセッサ、ソフトウェア、またはそれらの組み合わせ（例えばファームウェア）によって実装された機能を果たす機能ブロックであり得る機能ブロックを含むようにシステム１２００が図示されていることが理解されるだろう。システム１３００は、共同して動作し得る電子的要素の論理的なグルーピング（grouping）１３０２を含む。例えば論理的なグルーピングは、ＱｏＳ情報を保持し得るデータパケットヘッダの一部分を特定する電子的要素１３０４を含み得る。更に論理的なグルーピング１３０２は、特定された一部分にＱｏＳ情報を格納する電子的要素１３０６を備え得る。更にシステム１３００は、電子的要素１３０４、１３０６に関連付けられた機能を実行するための命令を保持するメモリ１３０８を含み得る。メモリ１３０８外部に示されているが、電子的要素１３０４、１３０６の１つまたはそれ以上は、メモリ１３０８の内部にあっても良いし、その逆であっても良いことが理解される。電子的要素１３０４及び／または電子的要素１３０６は、本質的に、特定された一部分に格納するためのＱｏＳ情報を決定する電子的要素、格納されたＱｏＳ情報を有するデータパケットヘッダを送信する電子的要素、ＱｏＳ情報を保持するデータパケットヘッダの一部分のサイズを判断する電子的要素、ＱｏＳ情報を、特定された一部分内にフィット可能なサイズに圧縮する電子的要素、及び／または特定された一部分のサイズ及びＱｏＳの詳細の重要性に応じて、特定された一部分に格納するためのＱｏＳ情報を選択する電子的要素、を含み得る。
【００７９】
図１４を参照して、ＭＡＣヘッダからのＱｏＳ情報の読み出しを達成するシステム１４００が図示されている。例えばシステム１４００は、少なくとも部分的に基地局内部に存在しても良いし、しかしながらシステム１４００の少なくとも一部はモバイル機器のような他の場所にあっても良い。プロセッサ、ソフトウェア、またはそれらの組み合わせ（例えばファームウェア）によって実装された機能を果たす機能ブロックであり得る機能ブロックを含むようにシステム１４００が図示されていることが理解されるだろう。システム１４００は、共同して動作し得る電子的要素の論理的なグルーピング（grouping）１４０２を含む。例えば論理的なグルーピングは、ＱｏＳ情報を有するデータパケットヘッダを得る電子的要素１４０４を含み得る。更に論理的なグルーピング１４０２は、受信されたデータパケットのＱｏＳ情報を読み出す電子的要素１４０６を備え得る。更にシステム１４００は、電子的要素１４０４、１４０６に関連付けられた機能を実行するための命令を保持するメモリ１４０８を含み得る。メモリ１４０８外部に示されているが、電子的要素１４０４、１４０６の１つまたはそれ以上は、メモリ１４０８の内部にあっても良いし、その逆であっても良いことが理解される。電子的要素１４０４及び／または電子的要素１４０６は本質的に、読み出されたＱｏＳ情報に応じて機器の動作を変更する電子的要素、及び／または読み出されたＱｏＳ情報を復元する電子的要素を含むことが出来、得られたデータパケットヘッダは、圧縮されたＱｏＳ情報を含む。
【００８０】
上記説明されたことは、１つまたはそれ以上の実施形態を含む。言うまでもなく、上記の実施形態を説明するための目的で、要素または手順の全ての考え得る組み合わせを説明することは可能では無く、しかし当業者は、種々の実施形態の、多くの更なる組み合わせ及び置換が可能であることを認識出来るだろう。従って、説明された実施形態は、添付の特許請求の範囲の範囲と思想内に含まれる全てのそのような修正、変形、及び変化を包含することを意図している。更に、実施の形態または請求項のいずれかにおいて、用語「含む（include）」が使用される限りでは、当該用語は、請求項における移行部の用語（transitional word）として使用される際の「備える（comprising）」の解釈のされ方と同様に包括的であることを意図している。
【図１】
2010521930.tif 000003
【図２】
2010521930.tif 000004
【図３】
2010521930.tif 000005
【図４】
2010521930.tif 000006
【図５】
2010521930.tif 000007
【図６】
2010521930.tif 000008
【図７】
2010521930.tif 000009
【図８】
2010521930.tif 000010
【図９】
2010521930.tif 000011
【図１０】
2010521930.tif 000012
【図１１】
2010521930.tif 000013
【図１２】
2010521930.tif 000014
【図１３】
2010521930.tif 000015
【図１４】
2010521930.tif 000016
【国際調査報告】
2010521930.tif 000017
2010521930.tif 000018